(57)【要約】【課題】制振構造を導入して施工コストを低減できる、斜梁を備えた建築構造物を提供する。【解決手段】柱４（４Ａ、４Ｂ、４Ｃ）と水平梁５（５Ａ、５Ｂ、５Ｃ）を備えた柱梁架構３と、水平面に対し斜め方向に延在して設けられ、前記柱梁架構３により支持された斜梁７（７Ａ、７Ｂ、７Ｃ）と、を備え、前記斜梁７Ｂに接合されている複数の前記柱４と複数の前記水平梁５とのいずれか一方または双方の一部４Ａ、５Ａには、目地２１、２２が介在されて前記斜梁７Ｂが縁切りされており、前記目地２１、２２が介在された前記柱４Ａと前記水平梁５Ａとのいずれか一方または双方に対応する階層９Ａ、９Ｂには、制振装置１６が設けられている、斜梁を備えた建築構造物を提供する。【選択図】図１
2017179890.tif 000002
【特許請求の範囲】
【請求項１】
柱と水平梁を備えた柱梁架構と、
水平面に対し斜め方向に延在して設けられ、前記柱梁架構により支持された斜梁と、
を備え、
前記斜梁に接合されている複数の前記柱と複数の前記水平梁とのいずれか一方または双方の一部には、目地が介在されて前記斜梁が縁切りされており、
前記目地が介在された前記柱と前記水平梁とのいずれか一方または双方に対応する階層には、制振装置が設けられている、斜梁を備えた建築構造物。
【請求項２】
前記目地は、一階、二階を含む低階層の前記柱と前記水平梁とのいずれか一方または双方に設けられている、請求項１に記載の斜梁を備えた建築構造物。
【請求項３】
前記目地は、一方の部材が前記目地の反対側の部材に対して水平方向に相対移動可能に設けられており、
前記目地にはすべり支承が介装されている、請求項１または２に記載の斜梁を備えた建築構造物。
【請求項４】
前記制振装置が複数の階層に設けられている、請求項１から３のいずれか一項に記載の斜梁を備えた建築構造物。
【請求項５】
前記目地が前記水平梁に設けられ、
前記水平梁は、第１及び第２の水平部材を備え、
該第１の水平部材は下方に開放された切欠き部を備え、
前記第２の水平部材は上方に開放された切欠き部を備え、
前記第１の水平部材の切欠き部の下面を、前記第２の水平部材の切欠き部の上面に対向させて、前記目地が形成されている、請求項１から４のいずれか一項に記載の斜梁を備えた建築構造物。
【発明の詳細な説明】
【技術分野】
【０００１】
本発明は、斜梁を備えた建築構造物に関するものである。
【背景技術】
【０００２】
一般に、建築構造物の地震対策構造として、耐震構造、制振構造、及び免震構造が知られている。
【０００３】
耐震構造は、耐力壁を増やす等の手法により、建築構造物全体を硬く固定して衝撃に耐える構造形式である。制振構造は、建築構造物に入力された地震エネルギーをオイルダンパー等の制振装置で吸収し、揺れを抑える構造形式である。免震構造は、積層ゴム支承などの免震装置により建築構造物の免震周期を長くすることにより、建築構造物に入力される地震力を緩和する構造形式である。
【０００４】
この３つの構造形式においては、免震構造、制振構造、耐震構造の順に、揺れの軽減率が高くなっている。すなわち、揺れの軽減率においては、免震構造がこれらの中で最も優れている。しかし、免震構造においては、免震装置が必要である、免震層として１階層が余計に必要となるので掘削土量が多くなり、免震関係工事が増加する等の理由により、施工が長期化しコストが嵩みがちになるという問題がある。
【０００５】
これに対し、制振構造は、免震構造ほど工期やコストが問題とならないため、建築構造物を施工するに当たり、免震構造ではなく、制振構造が採用される場合がある。このような場合においては、建築構造物の全体に制振装置が配置されて、建築構造物全体で地震エネルギーを吸収するような構造が計画されることが多い。しかし、建築構造物に制振装置を設けられない階層がある等の問題により、建築構造物全体への制振構造の導入が困難な場合がある。
【０００６】
このような場合には、地震による変形を、制振装置を設けられない階層以外の特定の階層にあえて集中させ、その階層において集中して地震エネルギーを吸収する、ソフトファーストストーリー制振を採用することが考えられる。特許文献１には、地上部の低層部において上下に連続している複数階を制振階として、それら制振階全体の上下の層間に跨るように慣性質量ダンパーと減衰機構とを並列設置した制振機構が開示されている。
【先行技術文献】
【特許文献】
【０００７】
【特許文献１】特許第５４９５０１３号公報
【発明の概要】
【発明が解決しようとする課題】
【０００８】
多くの階層に斜梁を備えている建築構造物においては、斜梁がブレースとして構造を強化するように作用するため、制振構造を導入するのが難しい。特にスタジアムなどのセットバックした建築構造物においては、例えば段床部の形成等の目的のため、斜梁は低層部を含む多くの階層に備えられており、上記したようなソフトファーストストーリー制振の導入も容易ではない。したがって、施工が長期化し、施工コストが嵩みがちな免震構造を、地震対策構造として採用せざるを得ない。
【０００９】
本発明が解決しようとする課題は、制振構造を導入して施工コストを低減できる、斜梁を備えた建築構造物を提供することである。
【課題を解決するための手段】
【００１０】
本発明は、上記課題を解決するため、以下の手段を採用する。すなわち、本発明による斜梁を備えた建築構造物は、柱と水平梁を備えた柱梁架構と、水平面に対し斜め方向に延在して設けられ、前記柱梁架構により支持された斜梁と、を備え、前記斜梁に接合されている複数の前記柱と複数の前記水平梁とのいずれか一方または双方の一部には、目地が介在されて前記斜梁が縁切りされており、前記目地が介在された前記柱と前記水平梁とのいずれか一方または双方に対応する階層には、制振装置が設けられている。
このような構成によれば、斜梁と柱や水平梁との間が目地により縁切りされているため、斜梁がブレースとして作用しない。そのため、斜梁が設けられた階層においても、当該階層より上層の構造を揺らしつつ、当該階層に設置された制振装置により地震エネルギーを吸収する制振構造を導入可能となる。したがって、免震構造を導入する場合に比べると、免震層が不要となるので掘削土量や免震関係工事量を低減可能である。
また、制振構造における、例えばオイルダンパー等の制振装置は、柱や水平梁の建て方と同時に設置することが可能であるため、施工期間への影響が少ない。
以上により、施工期間を短縮し、施工コストを低減することができる。
【００１１】
本発明の一態様においては、前記目地は、一階、二階を含む低階層の前記柱と前記水平梁とのいずれか一方または双方に設けられている。
このような構成によれば、地震による変形を目地が設けられた一階、二階を含む低階層に集中させることにより、ソフトファーストストーリー制振を導入することが可能となる。すなわち、より上層の階層においては、制振装置の設置や目地の介在が基本的には不要である。したがって、施工コストを低減することができる。
【００１２】
本発明の一態様においては、前記目地は、一方の部材が前記目地の反対側の部材に対して水平方向に相対移動可能に設けられており、前記目地にはすべり支承が介装されている。
このような構成によれば、一方の部材が前記目地の反対側の部材に対して水平方向に相対移動可能に設けられた目地の、上に位置する柱や水平梁の下面と、下に位置する柱や水平梁の上面との間に、すべり支承が介装されることにより、斜梁の縁切りを実現しつつ、目地の上下の構造躯体間で荷重を確実に伝達することができる。これにより、強靭な躯体を実現することが可能となる。
【００１３】
本発明の一態様においては、前記制振装置が複数の階層に設けられている。
このような構成によれば、複数の階層で地震エネルギーを吸収することが可能となる。これにより、一階層あたりの建築構造物の変形量を小さくしつつ、効果的に建築構造物の揺れを低減することが可能となる。
【００１４】
本発明の一態様においては、前記目地が前記水平梁に設けられ、前記水平梁は、第１及び第２の水平部材を備え、該第１の水平部材は下方に開放された切欠き部を備え、前記第２の水平部材は上方に開放された切欠き部を備え、前記第１の水平部材の切欠き部の下面を、前記第２の水平部材の切欠き部の上面に対向させて、前記目地が形成されている。
このような構成によれば、水平梁における目地の形成を合理的に行うことが可能となり、建築構造物の制振性能を高めることができる。
【発明の効果】
【００１５】
本発明によれば、制振構造を導入して施工コストを低減できる、斜梁を備えた建築構造物を提供することが可能となる。
【図面の簡単な説明】
【００１６】
【図１】本発明の実施形態として示した斜梁を備えた建築構造物の側断面図である。
【図２】本発明の実施形態として示した斜梁を備えた建築構造物の拡大図である。
【図３】本発明の実施形態として示した斜梁を備えた建築構造物の拡大図である。
【発明を実施するための形態】
【００１７】
以下、本発明の実施形態について図面を参照して詳細に説明する。
【００１８】
図１は、本発明の実施形態として示した斜梁７（７Ａ、７Ｂ、７Ｃ）を備えた建築構造物１の側断面図である。
【００１９】
本実施形態、及び後述する本実施形態の変形例においては、建築構造物１が、グラウンド２を有するスタジアムである場合を説明するが、建築構造物１は斜梁７を備える他の施設であっても構わない。以下、図１等に示される側面図において、グラウンド２側の方向を「前方」、その反対側を「後方」、前方と後方を結ぶ方向に水平面内で交差する方向を「横方向」と適宜称する。
【００２０】
建築構造物１は、柱４（４Ａ、４Ｂ、４Ｃ）と水平梁５（５Ａ、５Ｂ、５Ｃ）を備えた柱梁架構３を備えている。柱４は、基礎６上に立設されている。水平梁５は、隣接する柱４間に、水平方向Ｘに架設されている。柱４の高さは、建築構造物１のグラウンド２に向かう方向、すなわち前方に進むに従い、低くなっている。これにより、建築構造物１は、低層部ほど柱の数が多い中低層構造物となっている。
【００２１】
本実施形態においては、柱４は基本的に鋼管柱４Ｂや鉄骨鉄筋コンクリート柱４Ｃであるが、後述するような、目地を備えた一部の柱のみ、鉄筋コンクリート柱４Ａとして製作されている。また、水平梁５は鉄骨製である。本実施形態においては、各水平梁５の上に図示されない床スラブが形成されており、これにより、１階９Ａから７階９Ｇまでの各階層９（９Ａ、９Ｂ、９Ｃ、９Ｄ、９Ｅ、９Ｆ、９Ｇ）が形成されている。
【００２２】
上記のような柱梁架構３の最上段には、屋根８が設けられている。また、柱梁架構３に支持されるように、斜梁７（７Ａ、７Ｂ、７Ｃ）が、水平面に対し斜め方向に延在して設けられている。斜梁７上には、図２に示されるように、床面が後方に向けて階段状にせりあがるように、段床部１０（１０Ａ、１０Ｂ）が設けられており、段床部１０上には、観客席１１が設けられている。
【００２３】
本実施形態においては、斜梁７は鉄骨鉄筋コンクリート製である。また、斜梁７は、図１に示されるように、最も前方に位置する前方斜梁７Ａ、低層部の斜梁７Ｂ、及び２本の中高層部の斜梁７Ｃを備えており、前方からこの順で設けられている。
【００２４】
前方斜梁７Ａは、斜梁７のうち、最も前方に位置している斜梁７である。本実施形態においては、前方斜梁７Ａによって、１階９Ａの段床部１０の下側が形成されている。前方斜梁７Ａは、後述する低層部の斜梁７Ｂ、中高層部の斜梁７Ｃの各々が接続されている柱４とは、水平梁５によって接続されていない。したがって、前方斜梁７Ａを備える構造躯体は、低層部の斜梁７Ｂ、中高層部の斜梁７Ｃを備える構造躯体とは、異なる構造躯体として構成されている。
【００２５】
低層部の斜梁７Ｂは、前方斜梁７Ａの後方に位置している斜梁７である。低層部の斜梁７Ｂは、前方斜梁７Ａと略同等の傾斜角で、前方斜梁７Ａの後方端部７ｃの後方に、前方斜梁７Ａが間隔２０を空けて延在するように設けられている。前方斜梁７Ａと低層部の斜梁７Ｂの間には、図２を用いて後述するように、段床部１０が連続して形成されている。
【００２６】
本実施形態においては、低層部の斜梁７Ｂによって、１階９Ａの上側と、２階９Ｂの段床部１０が形成されている。低層部の斜梁７Ｂの前方端部７ａは鉄筋コンクリート柱４Ａによって、後方端部７ｃは鋼管柱４Ｂによって、それぞれ支持されている。また、低層部の斜梁７Ｂの中央近傍７ｂには、２階９Ｂの床スラブを構成する２階の水平梁５Ａが、後方端部７ｃには、３階９Ｃの床スラブを構成する３階の水平梁５Ｂが、それぞれ接合されている。
【００２７】
２本の中高層部の斜梁７Ｃは、低層部の斜梁７Ｂの後方に位置している斜梁７である。２本の中高層部の斜梁７Ｃは、低層部の斜梁７Ｂと略同等の傾斜角で、低層部の斜梁７Ｂの後方端部７ｃの後方に設けられている。
【００２８】
本実施形態においては、２本の中高層部の斜梁７Ｃの内の、一方によって３階９Ｃと４階９Ｄの段床部が、及び、他方によって５階９Ｅから７階９Ｇの段床部が、それぞれ形成されている。中高層部の斜梁７Ｃの各々は、鋼管柱４Ｂまたは鉄骨鉄筋コンクリート柱４Ｃによって支持されており、中高層部の水平梁５Ｃが接合されている。
【００２９】
前方斜梁７Ａ、低層部の斜梁７Ｂ、及び、２本の中高層部の斜梁７Ｃの各々は、上記のように柱梁架構３に接合されており、各斜梁７同士は直接には接合されていない。
【００３０】
斜梁７、特に本実施形態においては、低層部の斜梁７Ｂに接合されている複数の柱４Ａ、４Ｂと複数の水平梁５Ａ、５Ｂの双方の一部、すなわち鉄筋コンクリート柱４Ａと２階の水平梁５Ａには、斜梁７Ｂとの接合部近傍に目地２１、２２が介在されて斜梁７Ｂが縁切りされている。以下、本構造を詳細に説明する。
【００３１】
図２は、図１のＡ矢視部分の拡大図である。上記のように、低層部の斜梁７Ｂは、前方斜梁７Ａの後方端部７ｃの後方に、前方斜梁７Ａと間隔２０を空けて設けられている。
【００３２】
低層部の斜梁７Ｂの前方端部７ａは、鉄筋コンクリート柱４Ａによって支持されている。鉄筋コンクリート柱４Ａは、上側に位置する上側柱２３と、下側に位置する下側柱２４を備えている。上側柱２３の下面２３ａと、下側柱２４の上面２４ａは、互いに間隔をおいて対向するように設けられており、これにより、目地２１が、上側柱２３の下面２３ａと下側柱２４の上面２４ａの間に、一方の部材が目地２１の反対側の部材に対して水平方向に相対移動可能に設けられている。
【００３３】
上側柱２３の下面２３ａの下には、すべり支承２５が接合されている。すべり支承２５は、金属板２５ｂの一方の表面に、４フッ化エチレン樹脂などによりすべり材層２５ａが形成されたものである。すべり支承２５は、すべり材層２５ａを下側に向けて、金属板２５ｂの、すべり材層２５ａが形成されていない表面を上側柱２３の下面２３ａに対向、接触させて位置づけられている。すべり支承２５は、一端が上側柱２３内に埋設され、他端が下面２３ａから下方向に露出した鉄筋２６が、金属板２５ｂの図示されない孔を挿通し、その先端にナットが螺着されることによって、上側柱２３に固定されている。
【００３４】
下側柱２４の上面２４ａの上にも、すべり支承２５が接合されている。すべり支承２５は、すべり材層２５ａを上側に向けて、金属板２５ｂの、すべり材層２５ａが形成されていない表面を下側柱２４の上面２４ａに対向、接触させて位置づけられている。すべり支承２５は、一端が下側柱２４内に埋設され、他端が上面２４ａから上方向に露出した鉄筋２６が、金属板２５ｂの図示されない孔を挿通し、その先端にナットが螺着されることによって、下側柱２４に固定されている。
【００３５】
このように、目地２１には２つのすべり支承２５が介装されている。上側柱２３のすべり支承２５のすべり材層２５ａと、下側柱２４のすべり支承２５のすべり材層２５ａは、互いに接触して設けられている。
【００３６】
前方斜梁７Ａの上には、コンクリート製の第１段床支持部１２Ａを介して、第１段床部１０Ａが形成されている。また、前方斜梁７Ａの後方に位置する低層部の斜梁７Ｂの上には、同じくコンクリート製の第２段床支持部１２Ｂを介して、第２段床部１０Ｂが形成されている。
【００３７】
第１段床支持部１２Ａと第２段床支持部１２Ｂの間には、前方斜梁７Ａと低層部の斜梁７Ｂの間に設けられた間隔２０が上方に延在して介在している。第２段床部１０Ｂの最前端は、間隔２０と、第１段床部１０Ａの最後端の上方を覆うように前方へ突出している。第２段床部１０Ｂの最前端の下面と、第１段床部１０Ａの最後端の上面の間には、段床部目地２７が形成されている。
【００３８】
観客席１１は、基本的には下面１１ａが支持材２８によって支持されて、第１段床部１０Ａ、第２段床部１０Ｂの上面に固定されているが、上記のように前方へ突出した第２段床部１０Ｂの最前端部分においては、その前側の側面１０ａに、観客席１１の背面１１ｂに固定された背面支持材２９が固定されることによって、観客席１１が支持されている。
【００３９】
図３は、図１のＢ矢視部分の拡大図である。２階の水平梁５Ａは、後方に位置する第１水平部材４０と、前方に位置する第２水平部材４１を備えている。
【００４０】
第１水平部材４０は、上記のように鉄骨製であり、鉛直平面内に位置して前後方に延在するウェブ４０ａと、ウェブ４０ａの上下端の各々にウェブ４０ａに垂直に接合された、上フランジ４０ｂ、下フランジ４０ｃを備えている。
【００４１】
第１水平部材４０は、下方に開放された切欠き部を備えている。詳細には、第１水平部材４０のウェブ４０ａの高さ幅は、ウェブ４０ａの下側が前方端部において矩形形状に切り欠かれることにより小さくなっており、ウェブ４０ａの切り欠かれた部分の下端には、切欠上板４０ｄがウェブ４０ａに垂直に接合されている。
【００４２】
切欠上板４０ｄの下側において、ウェブ４０ａの切り欠かれた部分の先端には、切欠側板４０ｇが、ウェブ４０ａ、下フランジ４０ｃ、切欠上板４０ｄの各々に垂直に接合されている。切欠側板４０ｇの上方には、切欠上板４０ｄの上側に切欠側板４０ｇが延在するように、中間補強板４０ｆが設けられている。
【００４３】
切欠上板４０ｄの上側において、ウェブ４０ａの、切欠側板４０ｇよりも更に前方に突出している突出部４０ｉの先端には、先端補強板４０ｅが、ウェブ４０ａ、上フランジ４０ｂ、切欠上板４０ｄの各々に垂直に接合されている。
【００４４】
第１水平部材４０は、図１に示されるように、鋼管柱４Ｂ及び鉄骨鉄筋コンクリート柱４Ｃに接合されている。
【００４５】
第２水平部材４１は、第１水平部材４０と同様に鉄骨製であり、鉛直平面内に位置して前後方に延在するウェブ４１ａと、ウェブ４１ａの上下端の各々に垂直に接合された、上フランジ４１ｂ、下フランジ４１ｃを備えている。
【００４６】
第２水平部材４１は、上方に開放された切欠き部を備えている。詳細には、第２水平部材４１のウェブ４１ａの高さ幅は、ウェブ４１ａの上側が後方端部において矩形形状に切り欠かれることにより小さくなっており、ウェブ４１ａの切り欠かれた部分の上端には、切欠下板４１ｄがウェブ４１ａに垂直に接合されている。
【００４７】
切欠下板４１ｄの上側において、ウェブ４１ａの切り欠かれた部分の先端には、切欠側板４１ｇが、ウェブ４１ａ、上フランジ４１ｂ、切欠下板４１ｄの各々に垂直に接合されている。切欠側板４１ｇの下方には、切欠下板４１ｄの下側に切欠側板４１ｇが延在するように、中間補強板４１ｆが設けられている。
【００４８】
切欠下板４１ｄの下側において、ウェブ４１ａの、切欠側板４１ｇよりも更に後方に突出している突出部４１ｉの先端には、先端補強板４１ｅが、ウェブ４１ａ、下フランジ４１ｃ、切欠下板４１ｄの各々に垂直に接合されている。
【００４９】
第２水平部材４１の前方端部は、低層部の斜梁７Ｂに接合されている。
【００５０】
第１水平部材４０と第２水平部材４１は、互いの切欠き部に突出部４０ｉ、４１ｉが位置するように、対向して設けられている。具体的には、第１水平部材４０と第２水平部材４１は、切欠側板４０ｇの前方表面と先端補強板４１ｅの後方表面、切欠上板４０ｄの下面４０ｈと切欠下板４１ｄの上面４１ｈ、及び、先端補強板４０ｅの前方表面と切欠側板４１ｇの後方表面の各々が、互いに対向するように設けられている。第１水平部材４０と第２水平部材４１の、上フランジ４０ｂと上フランジ４１ｂは、同一水平面内に位置している。下フランジ４０ｃと下フランジ４１ｃも同様に、同一水平面内に位置している。
【００５１】
切欠側板４０ｇの前方表面と先端補強板４１ｅの後方表面の間には、縦目地４３が形成されており、先端補強板４０ｅの前方表面と切欠側板４１ｇの後方表面の間には、縦目地４４が形成されている。また、切欠上板４０ｄの下面４０ｈと切欠下板４１ｄの上面４１ｈの間には、目地２２が、一方の部材が目地２２の反対側の部材に対して水平方向に相対移動可能に設けられている。すなわち、第１水平部材４０の切欠き部の下面４０ｈを、第２水平部材４１の切欠き部の上面４１ｈに対向させて、目地２２が形成されている。
【００５２】
目地２２には、目地２１と同様に、すべり支承２５が介装されている。より具体的には、第１水平部材４０の切欠上板４０ｄの下面４０ｈの下に、すべり支承２５が接合されている。すべり支承２５は、すべり材層２５ａを下側に向けて、金属板２５ｂの、すべり材層２５ａが形成されていない表面を切欠上板４０ｄの下面４０ｈに対向、接触させて位置づけられている。すべり支承２５は溶接などによって、切欠上板４０ｄの下面４０ｈに固定されている。
【００５３】
第２水平部材４１の切欠下板４１ｄの上面４１ｈの上には、すべり板４２が溶接されて設けられている。すべり板４２の上面は、第１水平部材４０の切欠上板４０ｄの下面４０ｈに設けられたすべり支承２５のすべり材層２５ａと接触するように設けられている。
【００５４】
図１に示されるように、目地２１は、１階９Ａの鉄筋コンクリート柱４Ａに設けられている。また、目地２２は、２階９Ｂの床スラブが形成される２階の水平梁５Ａに設けられている。このように、目地２１、２２は、一階９Ａ、二階９Ｂを含む低階層の柱４Ａと水平梁５Ａの双方に設けられている。
【００５５】
建築構造物１は、各階に、ブレース１５（１５Ａ、１５Ｂ）を備えている。ブレース１５は、２本が組となり、柱梁架構３に対して斜めになるように、なおかつ、２本の各々の下端が互いに対向して接合されている。これにより、２本のブレース１５は略Ｖ字形状をなしている。
【００５６】
４階９Ｄ、５階９Ｅ、及び６階９Ｆのブレース１５Ｂに関しては、上端は柱４と水平梁５の接合部に、下端は水平梁５の上面に、各々接合されている。１階９Ａ、２階９Ｂ、及び３階９Ｃのブレース１５Ａに関しては、上端は柱４と水平梁５の接合部に、下端は例えばオイルダンパー等の制振装置１６を介して、水平梁５の上面に、各々接合されている。
【００５７】
このように、制振装置１６が複数の階層９Ａ、９Ｂ、９Ｃに設けられている。上記のように、１階９Ａの鉄筋コンクリート柱４Ａと２階９Ｂの水平梁５Ａには、目地２１、２２が介在されている。すなわち、目地２１、２２が介在された柱４Ａと水平梁５Ａに対応する階層９Ａ、９Ｂには、制振装置１６が設けられている。
【００５８】
次に、上記の実施形態として示した、斜梁７を備えた建築構造物１の作用、効果について説明する。
【００５９】
地震が発生して横方向の揺れが発生した場合には、基礎６及び各階の水平梁５が、横方向に、互いに相対的に移動しようとする。
【００６０】
基礎６と、２階９Ｂの床スラブを構成する２階の水平梁５Ａの間には、低層部の斜梁７Ｂが、基礎６に対しては鉄筋コンクリート柱４Ａを介して、また、２階の水平梁５Ａに対しては直接、接合されている。ここで、鉄筋コンクリート柱４Ａと２階の水平梁５Ａには、それぞれ、すべり支承２５が介在された目地２１、２２が設けられているため、目地２１、２２の前方上側に位置する、低層部の斜梁７Ｂ、上側柱２３と第２水平部材４１からなる構造体は、目地２１の反対側に位置する、下側柱２４が接合された基礎６と、目地２２の反対側に位置する、第１水平部材４０すなわち２階の水平梁５Ａの主要部分の間の、相対移動を阻害しない。
【００６１】
図２に示されるように、低層部の斜梁７Ｂと、その前方に位置する前方斜梁７Ａの間には、間隔２０が設けられており、第１段床部１０Ａと第２段床部１０Ｂの間には、段床部目地２７が設けられている。更に、第１水平部材４０と第２水平部材４１の間には、図３に示されるように、縦目地４３、４４が設けられている。
【００６２】
これにより、基礎６と２階の水平梁５Ａは、低層部の斜梁７Ｂに阻害されることなく、容易に相対移動することが可能である。
【００６３】
この、基礎６と２階の水平梁５Ａの間に作用する地震エネルギーは、基礎６と２階の水平梁５Ａの間に設けられたブレース１５Ａ下端の、制振装置１６によって吸収される。
【００６４】
また、２階９Ｂの床スラブを構成する２階の水平梁５Ａと、３階９Ｃの床スラブを構成する３階の水平梁５Ｂの間には、各々に対して直接、低層部の斜梁７Ｂが接合されている。ここで、２階の水平梁５Ａには、すべり支承２５が介在された目地２２が設けられているため、目地２２の前方に位置する、低層部の斜梁７Ｂと第２水平部材４１からなる構造体は、目地２２の反対側に位置する、第１水平部材４０すなわち２階の水平梁５Ａの主要部分と、低層部の斜梁７Ｂが剛に接合された３階の水平梁５Ｂの間の、相対移動を阻害しない。すなわち、２階の水平梁５Ａと３階の水平梁５Ｂは、容易に相対移動することが可能である。
【００６５】
この、２階の水平梁５Ａと３階の水平梁５Ｂの間に作用する地震エネルギーは、２階の水平梁５Ａと３階の水平梁５Ｂの間に設けられたブレース１５Ａ下端の、制振装置１６によって吸収される。
【００６６】
更に、低層部の斜梁７Ｂは、その後方端部７ｃが３階９Ｃの床スラブを構成する３階の水平梁５Ｂに接合されており、４階９Ｄ以上に位置する水平梁５Ｃには接合されていない。すなわち、低層部の斜梁７Ｂは、３階の水平梁５Ｂと４階９Ｄ以上の階層の層間移動を阻害しない。
【００６７】
この、３階の水平梁５Ｂと４階９Ｄ以上に位置する水平梁５Ｃの間に作用する地震エネルギーは、３階の水平梁５Ｂと直上の水平梁５Ｃの間に設けられたブレース１５Ａ下端の、制振装置１６によって吸収される。
【００６８】
このように、１階９Ａ、２階９Ｂ、３階９Ｃにおいては、低層部の斜梁７Ｂと柱梁架構３の間に目地２１、２２により縁切りを行い、剛性を小さくするとともに、制振装置１６を集中的に設置し、地震エネルギーを効率よく吸収する構造となっている。
【００６９】
すなわち、斜梁７と柱４や水平梁５との間が目地２１、２２により縁切りされているため、斜梁７がブレースとして作用せず、斜梁７が設けられた階層においても、当該階層より上層の構造を揺らしつつ、当該階層に設置された制振装置１６により地震エネルギーを吸収する制振構造を導入可能となる。
【００７０】
他方、４階９Ｄ以上の階層においては、柱梁架構３と中高層部の斜梁７Ｃを剛に接合し、なおかつ、ブレース１５を制振装置１６を介在させずに設けているため、剛性が高い構造となっている。すなわち、地震による変形を目地が設けられた一階９Ａ、二階９Ｂを含む低階層に集中させる、ソフトファーストストーリー制振を導入することが可能となっている。
【００７１】
上記のように、建築構造物１においては制振構造が導入されており、免震構造を導入する場合に比べると、免震層が不要となるので、掘削土量や免震関係工事量を低減可能である。
【００７２】
また、ソフトファーストストーリー制振が導入されているため、上層の階層においては、制振装置の設置や目地の介在が基本的には不要である。
【００７３】
また、制振構造における、例えばオイルダンパー等の制振装置１６は、柱４や水平梁５の建て方と同時に設置することが可能であるため、施工期間への影響が少ない。
【００７４】
更に、制振装置１６が設置されている階層においては、構造躯体を変形させて地震エネルギーを制振装置１６が吸収することを目的としているため、柱４等の主要構造部材の断面が、他に比べると小さくなるように、設計されている。
【００７５】
以上の理由により、施工期間を短縮し、施工コストを低減することができる。
【００７６】
また、水平方向に設けられた目地２１、２２の、上に位置する上側柱２３や第１水平部材４０の下面と、下に位置する下側柱２４や第２水平部材４１の上面との間に、すべり支承２５が介装されることにより、斜梁７Ｂの縁切りを実現しつつ、目地２１、２２の上下の構造躯体間で荷重を確実に伝達することができる。これにより、強靭な躯体を実現することが可能となる。
【００７７】
また、建築構造物１は、上記のように複数の階層で地震エネルギーを吸収する構造を備えているため、一階層あたりの建築構造物の変形量を小さくしつつ、効果的に建築構造物の揺れを低減することが可能となる。
【００７８】
また、図３に示されるように、第１水平部材４０の切欠き部の下面を、第２水平部材４１の切欠き部の上面に対向させることにより、目地２２が形成されている。すなわち、水平梁５における目地２２の形成を合理的に行うことが可能となり、建築構造物の制振性能を高めることができる。
【００７９】
図１に示されるように、建築構造物１は、低層部ほど柱の数が多い中低層構造物である。本実施形態において詳説した構造は、このような建築構造物１に用いても、地震対策として有効に機能する。
【００８０】
なお、本発明の斜梁を備えた建築構造物は、図面を参照して説明した上述の実施形態に限定されるものではなく、その技術的範囲において他の様々な変形例が考えられる。
【００８１】
例えば、上記実施形態においては、目地は、柱と水平梁の双方に介在されたが、斜梁の縁切りがなされるのであれば、柱あるいは水平梁のいずれか一方のみに介在されていても構わない。
【００８２】
また、上記実施形態においては、柱は鉄筋コンクリート、鋼管柱や、鉄骨鉄筋コンクリート製であり、水平梁は鉄骨製であり、及び、斜梁は鉄骨鉄筋コンクリート製であったが、各々が、他の種類の部材によって製作されていて構わない。
【００８３】
また、上記実施形態においては、図３に示されるように、２階の水平梁５Ａの目地２２において、第１水平部材４０の切欠上板４０ｄの下面４０ｈの下にすべり支承２５が接合されており、かつ、第２水平部材４１の切欠下板４１ｄの上面４１ｈの上に、すべり板４２が接合されていたが、これに限られない。
例えば、第１水平部材４０の切欠上板４０ｄの下面４０ｈの下にすべり板が接合され、第２水平部材４１の切欠下板４１ｄの上面４１ｈの上にすべり支承２５が接合されていてもよい。
あるいは、鉄筋コンクリート柱４Ａの目地２１と同様に、上下共にすべり支承２５が接合されていても構わない。
【００８４】
これ以外にも、本発明の主旨を逸脱しない限り、上記実施の形態で挙げた構成を取捨選択したり、他の構成に適宜変更したりすることが可能である。
【符号の説明】
【００８５】
１              建築構造物
２              グラウンド
３              柱梁架構
４（４Ａ、４Ｂ、４Ｃ）   柱
５（５Ａ、５Ｂ、５Ｃ）   水平梁
７（７Ａ、７Ｂ、７Ｃ）   斜梁
１５（１５Ａ、１５Ｂ）   ブレース
１６            制振装置
２１、２２      目地
２５            すべり支承
４０            第１水平部材
４０ｈ          下面
４１            第２水平部材
４１ｈ          上面
４２            すべり板
【図１】
2017179890.tif 000003
【図２】
2017179890.tif 000004
【図３】
2017179890.tif 000005